(57)【要約】第３世代移動体通信システムと無線ＬＡＮシステムとが統合されてなる第３世代移動体通信・無線ＬＡＮ統合システムであって、第３世代移動体通信システムのアクセスネットワーク部は、無線ＬＡＮシステムをパケット通信用チャネルと見なして制御するので、第３世代移動体通信システムと無線ＬＡＮシステムとの統合を行うことができる。さらに、このアクセスネットワーク部は、無線ＬＡＮシステムの移動端末（１）と無線通信可能とされた無線基地局（９）に接続されるとともに無線ＬＡＮシステムのアクセスポイント局（１０，１１）と電気的に接続された無線制御装置（８）を有するので、双方の間で第３世代移動体通信システム主導による無線ＬＡＮのチャネルの設定及び制御を行うことが出来る。【特許請求の範囲】
【請求項１】
第３世代移動体通信システムと無線ＬＡＮシステムとが統合されてなる第３世代移動体通信・無線ＬＡＮ統合システムであって、
前記第３世代移動体通信システムは、前記無線ＬＡＮシステムをパケット通信用チャネルと見なして制御するアクセスネットワーク部を有する
ことを特徴とする第３世代移動体通信・無線ＬＡＮ統合システム。
【請求項２】
前記アクセスネットワーク部は、前記無線ＬＡＮシステムの移動端末と無線通信可能とされた無線基地局に接続されるとともに前記無線ＬＡＮシステムのアクセスポイント局と電気的に接続された無線制御装置を有する
ことを特徴とする請求の範囲第１項に記載の第３世代移動体通信・無線ＬＡＮ統合システム。
【請求項３】
前記アクセスネットワーク部は、前記無線ＬＡＮシステムの移動端末と無線通信可能とされるとともに前記無線ＬＡＮシステムのアクセスポイント局と接続された無線基地局と当該無線基地局に電気的に接続された無線制御装置とを有することを特徴とする請求の範囲第１項に記載の第３世代移動体通信・無線ＬＡＮ統合システム。
【請求項４】
前記無線制御装置はインターワーキングボックスを介して前記無線基地局に接続されている
ことを特徴とする請求の範囲第３項に記載の第３世代移動体通信・無線ＬＡＮ統合システム。
【請求項５】
前記無線制御装置は、前記無線基地局を介して前記移動端末との間に第３世代移動体通信システムのシグナリング用チャネルを形成し、前記アクセスポイント局を介して前記移動端末との間にデータ用チャネルを形成する
ことを特徴とする請求の範囲第２項に記載の第３世代移動体通信・無線ＬＡＮ統合システム。
【請求項６】
前記移動端末は、第３世代移動体通信システムの測定と前記無線ＬＡＮシステムの測定とを行い、両測定結果を前記無線制御装置に通知する
ことを特徴とする請求の範囲第１項に記載の第３世代移動体通信・無線ＬＡＮ統合システム。
【請求項７】
前記無線制御装置は、各セルの情報に加え無線ＬＡＮシステムに関する測定条件を、システム情報報知にて前記移動端末に通知し、前記移動端末は、この無線ＬＡＮシステムに関する測定条件により測定を行う
ことを特徴とする請求の範囲第６項に記載の第３世代移動体通信・無線ＬＡＮ統合システム。
【請求項８】
前記無線制御装置は、前記移動端末からの測定情報に基づいて、該移動端末が接続すべき前記アクセスポイント局を選択し、この選択結果が前記移動端末に通知され、前記移動端末は前記選択結果に基づいて前記アクセスポイント局にアクセスする
ことを特徴とする請求の範囲第６項に記載の第３世代移動体通信・無線ＬＡＮ統合システム。
【請求項９】
前記無線制御装置が、前記移動端末からの測定情報に基づいて、前記移動端末が接続すべきシステムが無線ＬＡＮシステムであることを前記移動端末に通知し、前記移動端末は無線ＬＡＮプローブ手順により接続すべき前記アクセスポイント局を探索しこれに接続する
ことを特徴とする請求の範囲第６項に記載の第３世代移動体通信・無線ＬＡＮ統合システム。
【請求項１０】
前記移動端末と前記無線制御装置とは、前記シグナリング用チャネルを用いてＭＡＣアドレス情報の交換を行う
ことを特徴とする請求の範囲第５項に記載の第３世代移動体通信・無線ＬＡＮ統合システム。
【請求項１１】
前記移動端末が前記無線制御装置に前記ＭＡＣアドレス情報を通知する際、独自のメッセージを用いて通信する
ことを特徴とする請求の範囲第１０項に記載の第３世代移動体通信・無線ＬＡＮ統合システム。
【請求項１２】
前記移動端末は、第３世代移動体通信システムのセキュリティパラメータと無線ＬＡＮシステムのセキュリティパラメータとを前記無線制御装置に通知した後、第３世代移動体通信システムの無線ベアラセットアップ手順を用いて、無線ＬＡＮシステムのチャネルを形成する
ことを特徴とする請求の範囲第５項に記載の第３世代移動体通信・無線ＬＡＮ統合システム。
【請求項１３】
前記移動端末は、隣接する前記アクセスポイント局の測定情報を前記無線制御装置に通知し、前記無線制御装置は、当該情報に基づいて前記アクセスポイント局の切り替えを行う
ことを特徴とする請求の範囲第６項に記載の第３世代移動体通信・無線ＬＡＮ統合システム。
【請求項１４】
前記移動端末は、自らの判断により前記アクセスポイント局の切り替えを行い、前記移動端末は前記無線制御装置に対し、当該切り替え情報を通知する
ことを特徴とする請求の範囲第６項に記載の第３世代移動体通信・無線ＬＡＮ統合システム。
【請求項１５】
前記無線制御装置は、第３世代移動体通信システムのチャネルから前記無線ＬＡＮシステムのチャネルへの切り替えを、前記第３世代移動体通信システムのシグナリングを用いて行う
ことを特徴とする請求の範囲第５項に記載の第３世代移動体通信・無線ＬＡＮ統合システム。
【請求項１６】
前記無線制御装置は、前記無線ＬＡＮシステムのチャネルから第３世代移動体通信システムのチャネルへの切り替えを、前記第３世代移動体通信システムのシグナリングを用いて行う
ことを特徴とする請求の範囲第５項に記載の第３世代移動体通信・無線ＬＡＮ統合システム。
【請求項１７】
前記移動端末は、第３世代移動体通信システムの待ちうけ状態で待機し、前記無線ＬＡＮシステムのチャネルを使用する場合は第３世代移動体通信システムのシグナリングを用いる
ことを特徴とする請求の範囲第５項に記載の第３世代移動体通信・無線ＬＡＮ統合システム。
【請求項１８】
第３世代移動体通信システムと無線ＬＡＮシステムとを統合する第３世代移動体通信・無線ＬＡＮ統合方法であって、
前記第３世代移動体通信システムのアクセスネットワーク部に前記無線ＬＡＮシステムを接続し、該無線ＬＡＮシステムを前記第３世代移動体通信システムのパケット通信用チャネルと見なして制御する
ことを特徴とする第３世代移動体通信・無線ＬＡＮ統合方法。
【請求項１９】
前記無線ＬＡＮシステムの移動端末と前記アクセスネットワーク部の無線基地局とを無線通信可能とし、前記無線ＬＡＮシステムのアクセスポイント局と前記アクセスネットワーク部の無線制御装置とを電気的に接続した
ことを特徴とする請求の範囲第１８項に記載の第３世代移動体通信・無線ＬＡＮ統合方法。
【請求項２０】
前記無線ＬＡＮシステムの移動端末と前記アクセスネットワーク部の無線基地局とを無線通信可能とし、前記無線ＬＡＮシステムのアクセスポイント局を前記無線基地局を介して前記アクセスネットワーク部の無線制御装置に電気的に接続した
ことを特徴とする請求の範囲第１８項に記載の第３世代移動体通信・無線ＬＡＮ統合方法。
【発明の詳細な説明】
【技術分野】  本発明は、第３世代移動体通信システムと無線ＬＡＮとを統合した第３世代移動体通信・無線ＬＡＮ統合システム及び第３世代移動体通信・無線ＬＡＮ統合方法に関するものである。
【背景技術】  従来、第３世代移動体通信システム（３ｒｄ  Ｇｅｎｅｒａｔｉｏｎｓ  ｃｅｌｌｕｌａｒ  Ｔｅｌｅｃｏｍｍｕｎｉｃａｔｉｏｎ  Ｓｙｓｔｅｍ、以下、３Ｇセルラーシステム）と無線ＬＡＮ（Ｗｉｒｅｌｅｓｓ  ＬＡＮ、以下、ＷＬＡＮ）の統合については、ＷＬＡＮの高速データ通信と３Ｇセルラーシステムの広域性が相互に補完しあうことから、さまざまな検討がなされている。従来、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）にてそのコンセプトや実現方式の一例が提案されている。
第１図は従来の３ＧセルラーシステムとＷＬＡＮの統合方式の一例として上述のＩＥＥＥにて提案されたタイトモデル（Ｔｉｇｈｔ  Ｍｏｄｅｌ）の要部を示すブロック図である。このタイトモデルでは、ＷＬＡＮシステムを３Ｇセルラーシステムの無線アクセスネットワーク（Ｒａｄｉｏ  Ａｃｃｅｓｓ  Ｎｅｔｗｏｒｋ、以下、ＲＡＮ）に見立て、３ＧセルラーシステムのＲＡＮ−コアネットワーク間インタフェースを用いてＷＬＡＮシステムを３Ｇセルラーシステムに統合している。
第１図において、ＷＬＡＮの移動端末１は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  ｎｅｔｗｏｒｋ、３Ｇネットワークの欧州標準規格）地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、以下、ＵＴＲＡＮ）２及びＷＬＡＮシステム３と無線通信可能とされている。そして、ＵＴＲＡＮ２及びＷＬＡＮシステム３は、３Ｇセルラーシステムの汎用パケット無線サービス（Ｇｅｎｅｒａｌ  Ｐａｃｋｅｔ  Ｒａｄｉｏ  Ｓｅｒｖｉｃｅ、ＧＰＲＳ）コアネットワークのサービスパケット無線サービス支援ノード（Ｓｅｒｖｉｎｇ  ＧＰＲＳ  Ｓｕｐｐｏｒｔ  Ｎｏｄｅ、以下、ＳＧＳＮ）４に接続されている。ＳＧＳＮ４は、さらにホームロケーションレジスタ（Ｈｏｍｅ  Ｌｏｃａｔｉｏｎ  Ｒｅｇｉｓｔｅｒ、以下、ＨＬＲ）６に接続されている。さらにまた、ＨＬＲ６は、ゲートウェイパケット無線サービス支援ノード（Ｇａｔｅｗａｙ  ＧＰＲＳ  Ｓｕｐｐｏｒｔ  Ｎｏｄｅ、以下、ＧＧＳＮ）５とパケットネットワーク７に接続されている。
このＩＥＥＥの提案するタイトモデルは、３Ｇセルラーシステムのオペレータが、同時にＷＬＡＮシステムのオペレータを兼ねているモデルであり、３ＧセルラーシステムとＷＬＡＮシステムを、共に３Ｇセルラーシステム標準コアネットワーク規格であるＧＰＲＳの規格で制御する。このため、３Ｇセルラーシステムにおける認証や位置登録などの機構をそのまま利用できるといった特徴を持っている（非特許文献１参照）。
【非特許文献１】  ＩＥＥＥ  Ｗｉｒｅｌｅｓｓ  Ｃｏｍｍｕｎｉｃａｔｉｏｎｓ，ｖｏｌ．９，ｎｏ．５，Ｏｃｔｏｂｅｒ  ２００２，ｐｐ．１１２−１２４  ＷＬＡＮ−ＧＰＲＳ  Ｉｎｔｅｇｒａｔｉｏｎ  ｆｏｒ  Ｎｅｘｔ−Ｇｅｎｅｒａｔｉｏｎ  Ｍｏｂｉｌｅ  Ｄａｔａ  Ｎｅｔｗｏｒｋｓ  Ａｐｏｓｔｏｌｉｓ  Ｋ．Ｓａｌｋｉｎｔｚｉｓ，Ｃｈａｄ  Ｆｏｒｓ  ａｎｄ  Ｒａｊｅｓｈ  Ｐａｚｈｙａｎｎｕｒ
上述のような構成のタイトモデルでは、ＷＬＡＮシステムを３ＧセルラーシステムにおけるＲＡＮに見なして接続するものであるが、以下のような課題がある。
すなわち、現在のＷＬＡＮ規格（例として、ＩＥＥＥ８０２．１１ｂ）では、移動端末１が常に自らの移動を判断する。そのため、位置登録も常に移動端末１の主導で行われる。その結果、３Ｇセルラーシステムの判断によってＷＬＡＮから３Ｇセルラーシステムへの切り替えを制御することができないという未解決の課題を有している。
また、３ＧセルラーシステムからＷＬＡＮシステムへの切り替えを３Ｇセルラーシステム側において確認する際に、ＷＬＡＮシステムと３Ｇセルラーシステムのサービス提供地域の大きさは必ずしも等しくないので、３Ｇセルラーシステムのサービス提供地域であったとしても、現在の移動端末１の位置でＷＬＡＮシステムを使用することが出来るのか確認できないという未解決の課題や、さらに移動端末１の現在位置において、ＷＬＡＮシステムのセルが存在してないにもかかわらず、ＷＬＡＮシステムに対する測定（セル及びアクセスポイント局の検出）を行ってしまうという未解決の課題も有している。
さらには、ＷＬＡＮシステムに対する測定において、移動端末１が検出可能な全てのＷＬＡＮアクセスポイント局について測定を行ってしまうという未解決の課題や、測定結果の中に必要の無い測定結果が含まれている場合でも、すべての測定結果を測定情報通知によりネットワークに通知してしまうという未解決の課題も有している。
さらにまた、ＷＬＡＮシステムを介して通信を行う為には、ＩＥＥＥＥ８０２．１１に準拠したＭＡＣフレーム転送を行う必要があるが、このために移動端末１のＷＬＡＮインタフェースのＭＡＣアドレスとネットワーク側のＭＡＣフレーム終端ポイントであるＲＮＣのインタフェースのＭＡＣアドレスを、相互に交換できるしくみが必要である。
通常のＩＰパケット通信ではＡＲＰ処理によって、ＩＰアドレスとＭＡＣアドレスの問題を解決しているが、このタイトモデルでは各エンティティにＩＰアドレスが付与されていないため、ＡＲＰ機能が正しく機能しないという未解決の課題も有している。
さらには、ＷＬＡＮシステムでは３Ｇセルラーシステムにおけるページング機能がない為、過剰に電力を消費してしまうという未解決の課題も有している。
この発明は、前記のような問題を解決するためになされたもので、ＷＬＡＮシステムを１つのネットワークとして、３Ｇセルラーシステムに接続させるのではなく、ＷＬＡＮシステムを３Ｇセルラーシステムにおける１つの高速チャネルとして使用可能とすることにより、上述の課題を解消する第３世代移動体通信・無線ＬＡＮ統合システム及び第３世代移動体通信・無線ＬＡＮ統合方法を得ることを目的とする。
【発明の開示】
この発明の第３世代移動体通信・無線ＬＡＮ統合システムにあっては、第３世代移動体通信システムと無線ＬＡＮシステムとが統合されてなる第３世代移動体通信・無線ＬＡＮ統合システムであって、第３世代移動体通信システムは、無線ＬＡＮシステムをパケット通信用チャネルと見なして制御するアクセスネットワーク部を有することを特徴とする。この発明によれば、第３世代移動体通信システムのパケット通信用チャネルとして無線ＬＡＮシステムとの統合を安価に且つ容易に行うことができる。
また、アクセスネットワーク部は、無線ＬＡＮシステムの移動端末と無線通信可能とされた無線基地局に接続されるとともに無線ＬＡＮシステムのアクセスポイント局と電気的に接続された無線制御装置を有することを特徴とする。そのため、少ない改修で第３世代移動体通信システムのネットワーク制御を、そのままチャネル上で動作させることができ、第３世代移動体通信システム主導でのチャネルの切り替え制御を簡単に実現することができる。
さらに、無線制御装置は、無線基地局を介して移動端末との間に第３世代移動体通信システムのシグナリング用チャネルを形成し、アクセスポイント局を介して移動端末との間にデータ用チャネルを形成することを特徴とするので、第３世代移動体通信システム主導による第３世代移動体通信システム−無線ＬＡＮ間の無線ＬＡＮのチャネル設定制御を行うことが可能となる。
また、この発明の第３世代移動体通信・無線ＬＡＮ統合方法は、第３世代移動体通信システムと無線ＬＡＮシステムとを統合する第３世代移動体通信・無線ＬＡＮ統合方法であって、第３世代移動体通信システムのアクセスネットワーク部に無線ＬＡＮシステムを接続し、無線ＬＡＮシステムを第３世代移動体通信システムのパケット通信用チャネルと見なして制御する。この発明によれば、第３世代移動体通信システム主導でのチャネルの切り替え制御を簡単に実現することができる。
【図面の簡単な説明】  第１図は従来の３ＧセルラーシステムとＷＬＡＮの統合方式の要部を示すブロック図、第２図はこの発明の第３世代移動体通信・無線ＬＡＮ統合システムの要部を示すブロック図、第３図は第２図のＵＴＲＡＮ内のチャネル形成の様子を示す説明図、第４図は３ＧセルラーのセルとＷＬＡＮのセルとの位置関係を示す図、第５図は移動端末から無線制御装置へ測定情報通知が送信される様子を説明するシーケンス図、第６図は３ＧセルラーのセルとＷＬＡＮのセルとの位置関係を示す図、第７図は無線基地局から移動端末へシステム情報報知が送信される様子と移動端末から無線制御装置へ測定情報通知が送信される様子を説明するシーケンス図、第８図は３ＧセルラーのセルとＷＬＡＮのセルとの位置関係を示す図、第９図は無線基地局から移動端末へシステム情報報知が送信される様子と移動端末から無線制御装置へ測定情報通知が送信される様子を説明するシーケンス図、第１０図は３ＧセルラーのセルとＷＬＡＮのセルとの位置関係を示す図、第１１図はネットワーク側である無線制御装置が接続するＷＬＡＮアクセスポイント局を選択し、ＷＬＡＮシステムチャネルを設定する様子を説明するシーケンス図、第１２図は移動端末が所定の位置に存在する場合に無線制御装置に通知される測定情報通知に設定されるＷＬＡＮ測定結果を示す図表、第１３図はネットワーク側である無線制御装置がＷＬＡＮシステムチャネルを使用するか否かの判断を行い、実際に接続するＷＬＡＮアクセスポイント局を選択するのは移動端末である場合を説明するシーケンス図、第１４図は３Ｇセルラーシステムのシグナリング手順を用いて、移動端末と無線制御装置とでＭＡＣアドレスを交換する様子を説明するシーケンス図、第１５図はＷＬＡＮシステムチャネル上で移動端末と無線制御装置との間でＭＡＣアドレスを交換する様子を説明するシーケンス図、第１６図は３ＧセルラーシステムのシグナリングであるＲＢ  Ｓｅｔｕｐ手順を用いてＷＬＡＮシステムチャネルを確立する様子を説明するシーケンス図、第１７図は３ＧセルラーのセルとＷＬＡＮのセルとの位置関係を示す図、第１８図はネットワーク主導によるＷＬＡＮシステムチャネルのハードハンドオーバ制御を説明するシーケンス図、第１９図は移動端末主導によるＷＬＡＮシステムチャネルのハードハンドオーバ制御を説明するシーケンス図、第２０図は３ＧセルラーシステムからＷＬＡＮシステムへの切り替えを３ＧセルラーシステムのＣｈａｎｎｅｌ  Ｓｗｉｔｃｈｉｎｇ手順を基礎として行う場合のシーケンス図、第２１図はＷＬＡＮシステムから３Ｇセルラーシステムへの切り替えを３ＧセルラーシステムのＣｈａｎｎｅｌ  Ｓｗｉｔｃｈｉｎｇ手順を基礎として行う場合のシーケンス図、第２２図は３Ｇセルラーシステムのページングを利用しＷＬＡＮシステムの消費電力の低減をする際のシーケンス図、第２３図は無線制御装置、無線基地局及びＷＬＡＮアクセスポイント局の接続形態を示す図、および第２４図は無線制御装置、無線基地局、ＷＬＡＮアクセスポイント局及びＩＷＢの接続形態を示す図である。
【発明を実施するための最良の形態】  以下に、本発明にかかる第３世代移動体通信・無線ＬＡＮ統合システムの実施の形態を図面に基づいて詳細に説明する。なお、この実施の形態により本発明が限定されるものではない。
実施の形態１．
第２図はこの発明の第３世代移動体通信・無線ＬＡＮ統合システムの要部を示すブロック図である。本実施の形態の第３世代移動体通信・無線ＬＡＮ統合システム（以後、３Ｇセルラー・ＷＬＡＮ）においては、３Ｇセルラーシステムが、ＷＬＡＮシステムを１つの高速チャネルとして制御する。第１図において、３Ｇセルラーシステムの一部を構成する３Ｇセルラーシステム部１００は、ＳＧＳＮ４、ＧＧＳＮ５、ＨＬＲ６及びパケットネットワーク７で構成されるＧＰＲＳコアネットワークと、このコアネットワークのＳＧＳＮ４に接続されたアクセスネットワーク部であるＵＴＲＡＮ２とを有している。
ＵＴＲＡＮ２は、従来と同じように無線制御装置（Ｒａｄｉｏ  Ｎｅｔｗｏｒｋ  Ｃｏｎｔｒｏｌｌｅｒ）８と、この無線制御装置８に接続された無線基地局（Ｂａｓｅ  Ｔｒａｎｓｃｅｉｖｅｒ  Ｓｔａｔｉｏｎ）９及び複数のＷＬＡＮのアクセスポイント局１０，１１を有している。
ＷＬＡＮシステムの移動端末１は、無線基地局９及び複数のＷＬＡＮのアクセスポイント局１０，１１と無線通信可能とされている。そして、ＵＴＲＡＮ２は、３ＧセルラーシステムのＧＰＲＳコアネットワークのＳＧＳＮ４に接続されている。ＳＧＳＮ４は、ＧＧＳＮ５とＨＬＲ６に接続されている。
本実施の形態においては、無線制御装置８は、従来のものと同様に、無線基地局９を接続してこれを制御するとともに、ＷＬＡＮアクセスポイント局１０，１１を接続し制御する。このようにＵＴＲＡＮ２の中に、ＷＬＡＮシステムのＷＬＡＮアクセスポイント局１０，１１を含む構成とし、無線制御装置８は３Ｇセルラーシステムの１つの高速なパケット用チャネルとしてＷＬＡＮアクセスポイント局１０を制御する。
第３図は第２図のブロック図のＵＴＲＡＮ２内のデータの流れ方（チャネルの形成のされ方）を示す説明図である。具体的には、シグナリング用チャネルとデータ用チャネルの設定経路の一例を示すものである。第３図において、無線基地局９を経由してシグナリング用のチャネルが３Ｇセルラーシステムのチャネルとして形成されている様子を矢印２０にて示す。ＷＬＡＮアクセスポイント局１０を経由してデータ用チャネルが３Ｇセルラーシステムのチャネルに形成されている様子を矢印２１にて示す。
次に、動作を説明する。本実施の形態においては、ＷＬＡＮシステムを単なる１つの無線データチャネルと認識する。そして、移動端末１の制御は既存の３Ｇセルラーシステムのチャネルを用いたシグナリング用チャネル２０を介して行われる。無線制御装置８は、無線基地局９に対してはＮＢＡＰ（３ＧＰＰ  ＴＳ２５．４３３）、移動端末１に対してはＲＲＣ（３ＧＰＰ  ＴＳ２５．３３１）と言った３ＧセルラーシステムのＲＡＮ規格のシグナリングを用い、移動端末１に対する制御は３Ｇセルラーシステムの規格そのものを利用する。第３図に示すように、データ用チャネル２１としてＷＬＡＮシステムのチャネルを使用する場合でも、シグナリング用チャネル２０は常に３Ｇセルラーシステムのチャネルを用いる。これにより、移動端末１は無線制御装置８と３Ｇセルラーシステムのチャネルにて常にシグナリングを行う。
そして、データ用チャネル２１をＷＬＡＮシステムのものから３Ｇセルラーシステムのものに切り替える、もしくは３ＧセルラーシステムのものからＷＬＡＮシステムのものに切り替える場合、無線制御装置８が３ＧセルラーシステムのＲＡＮ規格におけるチャネル切り替えの枠組みで実施する。
このように本実施の形態の３Ｇセルラー・ＷＬＡＮにおいては、３Ｇセルラーシステムは、ＷＬＡＮシステムをパケット通信用チャネルと見なして制御するアクセスネットワーク部を有するので、３ＧセルラーシステムとＷＬＡＮシステムとの統合を安価に且つ容易に行うことができる。
また、アクセスネットワーク部であるＵＴＲＡＮ２は、ＷＬＡＮシステムの移動端末１と無線通信可能とされた無線基地局９に接続されるとともにＷＬＡＮシステムのアクセスポイント局１０，１１と電気的に接続された無線制御装置８を有するので、少ない改修で３Ｇセルラーシステムのネットワーク制御を、そのままチャネル上で動作させることができ、３Ｇセルラーシステム主導でのチャネルの切り替え制御を簡単に実現することができる。
さらに、無線制御装置８は、無線基地局９を介して移動端末１との間に３Ｇセルラーシステムのシグナリング用チャネル２０を形成し、アクセスポイント局１０を介して移動端末１との間にデータ用チャネル２１を形成するので、３Ｇセルラーシステム主導による３Ｇセルラーシステム−無線ＬＡＮ間のＷＬＡＮのチャネル設定制御を行うことが可能となる。
要するに、現在の３ＧセルラーシステムのＲＡＮ規格をベースにすることで、ＷＬＡＮシステムと３Ｇセルラーシステムの統合を容易に実現することができる。また、３Ｇセルラーシステムの高速パケットチャネルとして提案されている、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＤＳＣＨ（Ｄｏｗｎｌｉｎｋ  Ｓｈａｒｅｄ  Ｃｈａｎｎｅｌ）を使用してシステムを構築するのに比較して、はるかに高速なアクセスポイント局を極めて安価に提供できる。また、３ＧセルラーシステムのＲＡＮ制御がそのまま走るため、少ない改修でネットワーク主導による最適なＷＬＡＮ−３Ｇセルラーシステムのチャネル切り替えなどが可能になる。
実施の形態２．
ＷＬＡＮシステムのチャネルを３Ｇセルラーシステムセル空間に依存せず使用可能なチャネルとして認識する為には、無線制御装置８は、移動端末１がキャンプするセルに対して移動端末１の現在位置においてＷＬＡＮチャネルを利用可能か否か判定できなければならない。そこで、本実施の形態においては、無線制御装置８は、移動端末１のＷＬＡＮチャネルの利用可否の判定手段を実現するために、３ＧセルラーシステムのＲＡＮ規格の測定情報通知を拡張し、ＷＬＡＮの測定結果についても測定情報通知に含める。
第４図は第２図に示された３Ｇセルラー・ＷＬＡＮと関連づけて示される３ＧセルラーシステムのセルとＷＬＡＮシステムのセルとの範囲及び位置関係を示す図である。第４図において、３Ｇセルラーシステムの無線基地局９（第２図）のカバーするセル３０のなかに、ＷＬＡＮシステムのＷＬＡＮアクセスポイント局１０（第２図）のカバーするセル３１が存在する。位置３２は、３Ｇセルラーシステムセル３０及びＷＬＡＮシステムセル３１の両セルのカバー範囲内に存在している。その為、移動端末１が位置３２にいるときは、３ＧセルラーシステムとＷＬＡＮシステムの両方に接続することが可能である。一方で、位置３３は、３Ｇセルラーシステムセル３０のみのカバー範囲である為、位置３３にいる移動端末１は、３Ｇセルラーシステムに接続することは可能であるが、ＷＬＡＮシステムに接続することは出来ない。
第５図は移動端末１から無線制御装置８に向けて測定情報通知４１，４３が送信される様子を説明するシーケンス図である。移動端末１が３Ｇセルラーシステムの個別チャネルを使用している場合には、移動端末１は、３Ｇセルラーシステムセルの測定を周期的に実施している。第５図のタイミング４０において、移動端末１は位置３３に存在する。位置３３は、３Ｇセルラーシステムセル３０のカバー範囲である為、移動端末１は測定情報として３Ｇセルラーシステムセル３０の測定結果のみが設定された測定情報通知４１を無線制御装置８に通知する。測定情報通知４１を受信した無線制御装置８は、測定情報通知４１に３Ｇセルラーシステムセル３０の測定結果のみが設定され、ＷＬＡＮシステムに関する測定結果が設定されていないことから、移動端末１の現在位置が３Ｇセルラーシステムセル３０のカバー範囲であるが、ＷＬＡＮシステムのカバー範囲でないことを判断することができる。この時点で、移動端末１にデータ用チャネルを設定する場合は、ＷＬＡＮシステムのカバー範囲ではないので、必ず３Ｇセルラーシステムを用いてチャネルが設定されることとなる。
次に、タイミング４２において、移動端末１が位置３２に移動する。位置３２は、３Ｇセルラーシステムセル３０及びＷＬＡＮシステムセル３１の両セルのカバー範囲である為、移動端末１は測定結果として、３Ｇセルラーシステムセル３０及びＷＬＡＮシステムセル３１の測定結果が設定された測定情報通知４３を無線制御装置８に通知する。この時、ＷＬＡＮシステムセル３１の測定結果には、ＷＬＡＮアクセスポイント局１０からのシグナル強度も含まれている。
測定情報通知４３を受信した無線制御装置８は、測定情報通知４３に３Ｇセルラーシステムセル３０の測定結果とＷＬＡＮシステムセル３１の測定結果が設定されていることから、移動端末１の現在位置が３Ｇセルラーシステムセル３０のカバー範囲でもあるが、ＷＬＡＮシステムのカバー範囲でもあることを知ることが出来る。その為、現時点で移動端末１にデータ用チャネルを設定する場合、無線制御装置８は、３ＧセルラーシステムのみならずＷＬＡＮシステムにデータ用チャネルを設定することも可能であると判断することが出来る。
以上のように本実施の形態の３Ｇセルラー・ＷＬＡＮにおいては、移動端末１は、３Ｇセルラーシステムの測定とＷＬＡＮシステムの測定とを行い、両測定結果を無線制御装置８に通知する。これにより、３Ｇセルラーシステム主導による３Ｇセルラー・ＷＬＡＮのチャネル設定制御を行うことが可能となる。
なお、本実施の形態では、移動端末１がシグナリング用のチャネルとして、３Ｇセルラーシステムの個別チャネルを使用していたが、シグナリング用のチャネルとして、３Ｇセルラーシステムの共通チャネルを使用してもよい。そして、前記同様、測定情報通知において、ＷＬＡＮアクセスポイント局の測定情報を通知すれば良い。
実施の形態３．
上述の実施の形態２においては、移動端末１の現在位置に関係なくＷＬＡＮシステムに関する測定を行っていたが、本実施の形態においては、このＷＬＡＮシステムの測定が移動端末１の現在位置で必要かどうかを３Ｇセルラーシステムのシステム情報報知で指示する。
第６図は第２図に示された３Ｇセルラー・ＷＬＡＮと関連づけて示される３Ｇセルラー・ＷＬＡＮシステムのセルとＷＬＡＮシステムのセルとの範囲及び位置関係を示す図である。第６図において、３Ｇセルラーシステムの無線基地局９（第２図）のカバーするセル５０のなかに、ＷＬＡＮシステムのカバーするエリアは存在しない。無線基地局９が他の周波数によりカバーするセル３０のなかに、ＷＬＡＮアクセスポイント局１０（第２図）のカバーするセル３１が存在する。
このような位置関係にあっては、位置５１においては、３Ｇセルラーシステムセル５０のカバー範囲である為、３Ｇセルラーシステムに接続することが可能であるが、ＷＬＡＮシステムに接続することは出来ない。また一方で、３Ｇセルラーシステムセル５０の範囲において、ＷＬＡＮシステムセルは存在しない為、ＷＬＡＮシステムの測定を行う必要が無い。
第７図は無線基地局９から移動端末１へシステム情報報知が送信される様子と移動端末１から無線制御装置８へ測定情報通知が送信される様子を説明するシーケンス図である。第７図のタイミング６０において、移動端末１は位置５１に存在する。位置５１においては、無線基地局９からシステム情報報知６１が通知されている。このシステム情報報知６１には、ＷＬＡＮシステムの測定可否についての情報が設定されている。ここで、３Ｇセルラーシステムセル５０の範囲においてＷＬＡＮシステムセルは存在しない為、ＷＬＡＮシステムの測定を行う必要は無い。そこで、システム情報報知６１のＷＬＡＮシステムの測定可否については「測定不要」が設定される。システム情報報知６１を受信した移動端末１は、ＷＬＡＮシステムの測定可否＝「測定不要」を参照することにより、ＷＬＡＮシステム関連の測定を行わない。測定情報通知６２にもＷＬＡＮシステム関連の測定結果が設定されない。
次に、タイミング６３において、移動端末１が位置３２に移動する。ここで３Ｇセルラーシステムセル３０の範囲においてＷＬＡＮシステムセルが存在する為、ＷＬＡＮシステムの測定を行なうことでＷＬＡＮシステムの使用可否を判断する。その為、無線基地局９からのシステム情報報知６４においては、ＷＬＡＮシステムの測定可否については、「測定必要」を設定する。システム情報報知６４を受信した移動端末１は、ＷＬＡＮシステムの測定可否＝「測定必要」を参照することにより、ＷＬＡＮシステムの測定を行い、また測定情報通知６５にも、ＷＬＡＮシステムの測定結果を設定する。
以上のように本実施の形態の３Ｇセルラー・ＷＬＡＮにおいては、無線制御装置８は、各セルの情報に加え無線ＬＡＮシステムに関する測定条件を、システム情報報知にて移動端末１に通知し、移動端末１は、この無線ＬＡＮシステムに関する測定条件により測定を行う。このように、ＷＬＡＮシステムの測定が移動端末１の現在位置で必要であるか否かを、３Ｇセルラーシステムのシステム情報報知で移動端末１に指示することにより、移動端末１の測定負荷を削減することが可能となる。
実施の形態４．
上述の実施の形態３においては、ＷＬＡＮシステムの測定が移動端末１の現在位置で必要かどうかを、３Ｇセルラーシステムのシステム情報報知で指示していたが、本実施の形態では、ＷＬＡＮシステムの測定条件の絞りこみを行う為、測定を行うべきＷＬＡＮアクセスポイント局のＥＳＳＩＤ（Ｅｘｔｅｎｄｅｄ  Ｓｅｒｖｉｃｅ  Ｓｅｔ  Ｉｄｅｎｔｉｆｉｅｒ）を、３Ｇセルラーシステムのシステム情報報知で移動端末１に指示する。
第８図は第２図に示された３世代移動体通信・無線ＬＡＮ統合システムと関連づけて示される３世代移動体通信のセルと無線ＬＡＮのセルとの範囲及び位置関係を示す図である。第８図において、ＷＬＡＮシステムセル７０は、ＥＳＳＩＤとして“Ｂ”が設定されている。また、ＷＬＡＮシステムセル３１はＥＳＳＩＤとして、“Ａ”が設定されている。ここで、ＷＬＡＮシステムセル７０は、通信トラヒックの増大等により無線品質が悪化し、ネットワークオペレータとしてはユーザの接続を拒絶すべきセルを示している。第８図において、位置７１においては、３Ｇセルラーシステムセル３０のカバー範囲である為、３Ｇセルラーシステムに接続することはもちろんのこと、ＷＬＡＮシステムセル３１及び７０の範囲である為、ＷＬＡＮシステムにも接続することが可能である。
第９図は、無線基地局９が通知するシステム情報報知と、移動端末１が無線制御装置８に測定情報通知を送信するシーケンス図である。タイミング８０において、移動端末１は位置７１に存在する。位置７１においては、無線基地局９からシステム情報報知８１が通知されているが、このシステム情報報知に、ＷＬＡＮシステムの測定可否と、測定すべきＷＬＡＮアクセスポイント局のＥＳＳＩＤを設定する。３Ｇセルラーシステムセル３０の範囲とオーバラップしているＷＬＡＮシステムセルとしては、ＷＬＡＮシステムセル３１及び７０が存在する。しかし、ＷＬＡＮシステムセル７０の無線品質は悪化し、ユーザの接続を拒否すべき状態である為、ＷＬＡＮシステムセル７０の測定を行う必要もなく、また測定結果を無線制御装置８に通知する必要もない。この為、ＷＬＡＮシステムセル７０のＥＳＳＩＤ＝“Ｂ”を測定対象から外す為、システム情報報知８１のＥＳＳＩＤとして“Ａ”を設定する。システム情報報知８１を受信した移動端末１は、ＥＳＳＩＤの設定値“Ａ”を参照することにより、ＥＳＳＩＤ＝“Ａ”を持ったＷＬＡＮシステムの測定を行い、また測定情報通知８２にも、ＥＳＳＩＤ＝“Ａ”を持ったＷＬＡＮシステムの測定結果のみを設定する。
次に、タイミング８３において、ＷＬＡＮシステムセル７０の無線品質が改善し、ＷＬＡＮシステムセル７０にユーザの接続を許容するようになった場合を説明する。この時、システム情報報知８４のＥＳＳＩＤとして“ＡＮＹ”を設定する。この“ＡＮＹ”は、全てのＥＳＳＩＤを対象とするという意味を示している為、システム情報報知８４を受信した移動端末１は、ＥＳＳＩＤの設定値“ＡＮＹ”を参照することにより、ＥＳＳＩＤの制限をかけずにＷＬＡＮシステムの測定を行い、位置７１に存在する移動端末１は、３Ｇセルラーシステムセル３０及びＷＬＡＮシステムセル３１のみならず、ＷＬＡＮシステムセル７０の測定結果を、測定情報通知８５に設定して、無線制御装置８に通知する。
以上のように、測定すべきＷＬＡＮシステムのＥＳＳＩＤを３Ｇセルラーシステムのシステム情報報知で指示することにより、移動端末における測定負荷を下げると共に、測定情報通知８５から必要のない測定情報を削除し、ネットワークの負荷を下げることが可能となる。つまり、本実施の形態の３Ｇセルラー・ＷＬＡＮにおいては、無線制御装置８は、各セルの情報に加え無線ＬＡＮシステムに関する測定条件を、システム情報報知にて移動端末１に通知し、移動端末１は、この無線ＬＡＮシステムに関する測定条件により測定を行う。
なお、本実施の形態では、システム情報報知８４のＥＳＳＩＤ情報として“ＡＮＹ”を設定したが、ＥＳＳＩＤをリスト形式にして、“Ａ”と“Ｂ”の両方というように複数指定しても良い。
実施の形態５．
本実施の形態においては、移動端末１から通知される測定情報通知のＷＬＡＮシステム測定結果情報にＷＬＡＮアクセスポイント局のＢＳＳ  ＩＤ（Ｂａｓｉｃ  Ｓｅｒｖｉｃｅ  Ｓｅｔ  Ｉｄｅｎｔｉｆｉｅｒ）情報を追加する。無線制御装置８は、ＷＬＡＮシステムのチャネルの利用が可能な場合、移動端末から通知される測定情報通知を参照し、１つのＷＬＡＮアクセスポイント局をＢＳＳ  ＩＤで選択する。この選択したＷＬＡＮアクセスポイント局情報は、３ＧセルラーシステムのＷＬＡＮチャネル設定手順を通じてＭＳに通知し、ＷＬＡＮのチャネルを設定する。
第１０図は第２図に示された３世代移動体通信・無線ＬＡＮ統合システムと関連づけて示される３世代移動体通信のセルと無線ＬＡＮのセルとの範囲及び位置関係を示す図である。第１０図において、位置９１においては、３Ｇセルラーシステムセル３０のカバー範囲である為、３Ｇセルラーシステムに接続することはもちろん、ＷＬＡＮシステムセル３１及び９０の範囲である為、ＷＬＡＮシステムにも接続することが可能である。
第１１図はネットワーク側である無線制御装置８が接続するＷＬＡＮアクセスポイント局を選択し、ＷＬＡＮシステムチャネルを設定する様子を説明するシーケンス図である。
第１２図は移動端末１が位置９１に存在する場合に、無線制御装置８に通知される測定情報通知に設定されるＷＬＡＮ測定結果を示す図表である。この時、ＷＬＡＮシステムセル３１のシグナルレベルは“９０”、またＷＬＡＮシステムセル３１におけるＷＬＡＮアクセスポイント局１０のＢＳＳＩＤは“ＡＡ：ＡＡ：ＡＡ：ＡＡ：ＡＡ：ＡＡ”、ＷＬＡＮシステムセル７０のシグナルレベルは７５、またＷＬＡＮシステムセル９０におけるＷＬＡＮアクセスポイント局１１のＢＳＳＩＤは“ＢＢ：ＢＢ：ＢＢ：ＢＢ：ＢＢ：ＢＢ”となっている。またシグナルレベルは値が大きいほど良く、本測定結果からは、ＷＬＡＮシステムにチャネルを設定する場合、ＷＬＡＮシステムセル３１つまりＷＬＡＮアクセスポイント局１０に接続する方が良いと無線制御装置８は判断できる。
第２図、第１０図から第１２図を用いて本実施の形態について説明を行う。第１２図のタイミング１００において、移動端末１は位置９１に存在する。この位置９１において移動端末１は、測定情報として３Ｇセルラーシステムセル３０の測定結果のみならず、第１２図に示したＷＬＡＮシステムの測定結果を設定した測定情報通知１０１を無線制御装置８に送信する。測定情報通知１０１を受信した無線制御装置８は、第１１図によるＷＬＡＮシステムの測定結果から、ＷＬＡＮシステムセル３１つまりＷＬＡＮアクセスポイント局１０を選択する。タイミング１０２において、ＷＬＡＮアクセスポイント局１０を選択した無線制御装置８は、移動端末１に対するＷＬＡＮシステムチャネル設定要求１０３に、ＢＳＳＩＤとして、ＷＬＡＮアクセスポイント局１０のＢＳＳＩＤである“ＡＡ：ＡＡ：ＡＡ：ＡＡ：ＡＡ：ＡＡ”を設定し、移動端末１に送信する。
タイミング１０４において、ＷＬＡＮシステムチャネル設定要求１０３を受信した移動端末１は、接続先としてＷＬＡＮアクセスポイント局１０を認識し、ＷＬＡＮアクセスポイント局１０との接続を行う為、アソシエーション設定１０５を行い、ＷＬＡＮシステムのチャネルを設定する。
以上のように本実施の形態の３Ｇセルラー・ＷＬＡＮにおいては、無線制御装置８は、移動端末１からの測定情報に基づいて、移動端末１が接続すべきアクセスポイント局を選択し、この選択結果が移動端末１に通知され、移動端末１は選択結果に基づいてアクセスポイント局にアクセスする。そのため、ＷＬＡＮシステムにチャネルを設定する場合において、ネットワーク主導による、移動端末の接続先となるＷＬＡＮアクセスポイント局を決定することが可能となる。
また、上述の例では、タイミング１０２においてＷＬＡＮアクセスポイント局を選択する際、移動端末１からの測定情報通知１０１のみを用いていたが、ＷＬＡＮアクセスポイント局などのネットワーク側からもトラヒックの負荷状況など測定情報を取得し、ＷＬＡＮアクセスポイント局選択の判断条件としても良い。
実施の形態６．
上述の実施の形態５においては、無線制御装置８でＷＬＡＮアクセスポイント局の選択を行っていたが、本実施の形態では、ＷＬＡＮアクセスポイント局の選択を、移動端末の無線ＬＡＮプローブ手順にて行い、ＷＬＡＮシステムチャネルを使用するかどうかの判断を無線制御装置８にて行うものである。
第１３図はネットワーク側である無線制御装置８がＷＬＡＮシステムチャネルを使用するか否かの判断を行い、実際に接続するＷＬＡＮアクセスポイント局を選択するのは移動端末１である場合を説明するシーケンス図である。
第２図、第１０図、第１２図及び第１３図を用いて本実施の形態について説明を行う。第１３図のタイミング１２０において、移動端末１は位置９１に存在する。この位置９１において移動端末１は、測定情報として３Ｇセルラーシステムセル３０の測定結果のみならず、第１１図に示したＷＬＡＮシステムの測定結果を設定した測定情報通知１２１を無線制御装置８に送信する。
測定情報通知１２１を受信した無線制御装置８は、第１１図によるＷＬＡＮシステムの測定結果から、ＷＬＡＮシステムセル３１及びＷＬＡＮシステムセル７０のシグナルレベルを知ることが出来る。このシグナルレベルが６０以上の場合、ＷＬＡＮシステムチャネルを選択しても良いという判断基準を設けた場合、タイミング１２２において、無線制御装置８はＷＬＡＮシステムチャネルを使用することを判断する。
タイミング１２２において、ＷＬＡＮシステムチャネルを使用することを判断した無線制御装置８は、移動端末１に対するＷＬＡＮシステムチャネル設定要求１２３に、ＢＳＳＩＤとして、“ＮＵＬＬ”を設定し、移動端末１に送信する。このＢＳＳＩＤ＝“ＮＵＬＬ”は、特定のＷＬＡＮアクセスポイント局を指定しないことを意味している為、タイミング１２４において、ＷＬＡＮシステムチャネル設定要求１２３を受信した移動端末１は、接続先ＷＬＡＮアクセスポイント局を探すため、無線ＬＡＮプローブ１２５を行う。
タイミング１２６において、移動端末１は、この無線ＬＡＮプローブ１２５の手順により、接続先ＷＬＡＮアクセスポイント局１０を選択し、アソシエーション設定１２６を行い、ＷＬＡＮシステムのチャネルを設定する。
以上のように本実施の形態の３Ｇセルラー・ＷＬＡＮにおいては、無線制御装置８が、移動端末１からの測定情報に基づいて、移動端末１が接続すべきシステムが無線ＬＡＮシステムであることを移動端末１に通知し、移動端末１は無線ＬＡＮプローブ手順により接続すべきアクセスポイント局を探索しこれに接続する。そのため、ＷＬＡＮシステムにチャネルを設定する場合において、ネットワーク主導の制御により、ＷＬＡＮシステムへの接続可否を決定することが可能となる。
実施の形態７．
本実施の形態においては、３Ｇセルラーシステムのシグナリングを用いて、移動端末１と無線制御装置８がＭＡＣアドレス情報を交換することにより、ＭＡＣフレーム転送を実現する。３Ｇセルラーシステムセルは、１つの無線制御装置によって制御される。そのため、無線基地局９から通知されるシステム情報報知により、無線制御装置８のＭＡＣアドレスを移動端末１に通知すると共に、ＲＲＣ  Ｃｏｎｎｅｃｔｉｏｎ設定手順を用いて、移動端末１のＭＡＣアドレスを無線制御装置８に通知する。これにより、移動端末１と無線制御装置８との間で相互にＭＡＣアドレスの交換行われる。
第１４図は３Ｇセルラーシステムのシグナリング手順を用いて、移動端末１と無線制御装置８とでＭＡＣアドレスを交換する様子を説明するシーケンス図である。
第２図及び第１４図を用いて動作を説明する。第１４図において、無線基地局９は、無線制御装置８のＭＡＣアドレスが設定されたシステム情報報知１３０を移動端末１に通知する。このシステム情報報知１３０を受信した移動端末１は、タイミング１３１において、無線制御装置８のＭＡＣアドレスを学習する。
その後、移動端末１が３Ｇセルラーシステムのシグナリングコネクションを設定する場合、ＲＲＣ  Ｃｏｎｎｅｃｔｉｏｎ設定手順が行われる。まず移動端末１からＲＲＣ  Ｃｏｎｎｅｃｔｉｏｎ  Ｓｅｔｕｐ  Ｒｅｑｕｅｓｔ１３２が無線制御装置８に送信される。このＲＲＣ  Ｃｏｎｎｅｃｔｉｏｎ  Ｓｅｔｕｐ  Ｒｅｑｕｅｓｔ１３２には、移動端末１のＭＡＣアドレスを設定する。
ＲＲＣ  Ｃｏｎｎｅｃｔｉｏｎ  Ｓｅｔｕｐ  Ｒｅｑｕｅｓｔ１３２を受信した無線制御装置８は、タイミング１３３において、移動端末１のＭＡＣアドレスを学習する。その後、ＲＲＣ  Ｃｏｎｎｅｃｔｉｏｎ  Ｓｅｔｕｐ１３４、ＲＲＣ  Ｃｏｎｎｅｃｔｉｏｎ  Ｓｅｔｕｐ  Ｃｏｍｐｌｅｔｅ１３５の手順でＲＲＣ  Ｃｏｎｎｅｃｔｉｏｎ設定手順が完了するが、この手順により、移動端末１と無線制御装置８との間でＭＡＣアドレスを交換することができ、ＡＲＰ処理が無くとも、移動端末１と無線制御装置８において、ＩＥＥＥ８０２．１１に準拠したＭＡＣフレーム転送が可能となる。
以上のように本実施の形態の３Ｇセルラー・ＷＬＡＮにおいては、移動端末１と無線制御装置８とは、シグナリング用チャネルを使ってＭＡＣアドレス情報の交換を行う。このように、３ＧセルラーシステムシグナリングによるＭＡＣアドレスの交換を行うことにより、通信コネクションの確立を行うことが出来る。
実施の形態８．
上述の実施の形態７においては、３ＧセルラーシステムシグナリングによりＭＡＣアドレスの交換を行っていたが、本実施の形態では、ＷＬＡＮチャネル上でＭＡＣアドレスを通知し、移動端末１と無線制御装置８との間でＭＡＣアドレスを交換する。
第１５図はＷＬＡＮシステムチャネル上において移動端末１と無線制御装置８との間でＭＡＣアドレスが交換される様子を説明するシーケンス図である。なお、ＷＬＡＮシステムチャネルを設定する際、移動端末１はＷＬＡＮアクセスポイント局１０に接続するものとする。
第２図及び第１５図を用いて動作を説明する。第１５図において、無線基地局９は、無線制御装置８のＭＡＣアドレスが設定されたシステム情報報知１４０を移動端末１に通知する。このシステム情報報知１４０を受信した移動端末１は、タイミング１４１において、無線制御装置８のＭＡＣアドレスを学習する。
その後、タイミング１４２においてＷＬＡＮシステムチャネル設定要求手順が行われると、移動端末１とＷＬＡＮアクセスポイント局１０との間でアソシエーション設定手順１４３が実施される。
その後、独自のメッセージであるＡＰ  Ｕｐｄａｔｅ１４４を使って移動端末１のＭＡＣアドレスが通知される。本メッセージは移動端末１がアソシエーションを設定したＷＬＡＮアクセスポイント局１０を介して無線制御装置８まで通知される為、ＷＬＡＮアクセスポイント局１０から無線制御装置８の間の通信に関わるＬ２スイッチエンティティ（このＬ２スイッチエンティティは、無線制御装置８のＬ２インタフェース部を含む）は、移動端末１のＭＡＣアドレスと移動端末１のＭＡＣアドレスに向かうインタフェースとの対応を学習することができる。
以上のように本実施の形態の３Ｇセルラー・ＷＬＡＮは、移動端末１が無線制御装置８にＭＡＣアドレス情報を通知する際、独自のメッセージを用いて通信する。そのため、ＷＬＡＮアクセスポイント局の選択を移動端末が行う場合に、ＷＬＡＮアクセスポイント局の選択情報を無線制御装置に通知する機能を備え持ち、通信コネクションの確立を行うことが出来る。
実施の形態９．
本実施の形態においては、３ＧセルラーシステムのシグナリングであるＲＢ  Ｓｅｔｕｐ手順を用いて、ＷＬＡＮシステムチャネルを確立するものである。
第１６図は３Ｇセルラーシステムのシグナリングである無線ベアラセットアップ（以下、ＲＢ  Ｓｅｔｕｐ）手順を用いて、ＷＬＡＮシステムチャネルを確立する様子を説明するシーケンス図である。
第２図及び第１６図を用いて動作を説明する。第１６図において、ＲＢ  Ｓｅｔｕｐ手順を行う前に、必要に応じてセキュリティ手順１５０が実行される。ＷＬＡＮシステムを使用する可能性がある場合、このセキュリティ手順１５０の中で、３Ｇセルラーシステムのセキュリティパラメータに加え、ＷＬＡＮシステムのセキュリティパラメータが通知される。ＷＬＡＮシステムのセキュリティパラメータ情報としては、ＷＥＰ（Ｗｉｒｅｄ  Ｅｑｕｉｖａｌｅｎｔ  Ｐｒｉｖａｃｙ）キーなどの情報が挿入される。無線制御装置８は、ＧＰＲＳコアネットワークからＲＡＢ  Ｓｅｔｕｐ要求１５１を受信し、これに基づいてＲＡＢをＷＬＡＮシステムチャネルとして設定する動作を始める。無線制御装置８は、ＷＬＡＮシステムチャネルの設定が指示さているＲＢ  Ｓｅｔｕｐ  Ｒｅｑｕｅｓｔ１５２を移動端末１に送信する。
このＲＢ  Ｓｅｔｕｐ  Ｒｅｑｕｅｓｔ１５２に関しては、明示的に接続するＷＬＡＮアクセスポイント局が指定されるケースとされないケースがある。本実施の形態においては、明示的に指示しないケースで説明する。
ＲＢ  Ｓｅｔｕｐ  Ｒｅｑｕｅｓｔ１５２を受信した移動端末１は、ＷＬＡＮシステムチャネルの設定を要求されていることを判断し、タイミング１５３においてＷＬＡＮアクセスポイント局の探索及びＷＬＡＮアクセスポイント局の選択を行い、タイミング１５４においてＷＬＡＮアクセスポイント局１０とアソシエーションの設定を行う。また移動端末１が無線制御装置８に、移動端末１のＭＡＣアドレスを通知していない場合は、手順１５５及び手順１５６により、移動端末１のＭＡＣアドレスを無線制御装置８に通知する。ＷＬＡＮシステムの通信コネクションを確立した移動端末１は、無線制御装置８にＲＢ  Ｓｅｔｕｐ  Ｒｅｓｐｏｎｓｅ１５７を送信して、ＷＬＡＮシステムのチャネルが設定できたことを通知する。
以上のように本実施の形態の３Ｇセルラー・ＷＬＡＮにおいては、移動端末１は、３ＧセルラーシステムのセキュリティパラメータとＷＬＡＮシステムのセキュリティパラメータとを無線制御装置８に通知した後、３Ｇセルラーシステムの無線ベアラセットアップ手順を用いて、無線ＬＡＮシステムのチャネルを形成する。このように、３ＧセルラーシステムのＲＢ  Ｓｅｔｕｐ手順を用いて、ＷＬＡＮシステムチャネルを確立することが出来る。
実施の形態１０．
３ＧセルラーシステムセルとＷＬＡＮシステムセルとは互いに関係なく独立なものであるため、３Ｇセルラーシステムのハンドオーバ動作のタイミングと、ＷＬＡＮハンドオーバ動作のタイミングも基本的に独立している。３Ｇセルラーシステムのハンドオーバ動作については３ＧＰＰの仕様に準拠する。本実施の形態においては、３Ｇセルラーシステム主導によるＷＬＡＮシステムチャネルのハードハンドオーバ制御を示す。
第１７図は第２図に示された３世代移動体通信・無線ＬＡＮ統合システムと関連づけて示される３世代移動体通信のセルと無線ＬＡＮのセルとの範囲及び位置関係を示す図である。ＷＬＡＮアクセスポイント局１１（第２図）によるＷＬＡＮシステムのセル１６０が存在する。位置１６１においては、ＷＬＡＮシステムセル３１の範囲である為、ＷＬＡＮアクセスポイント局１０を介してＷＬＡＮシステムチャネルを設定する。また位置１６２においては、ＷＬＡＮシステムセル３１よりＷＬＡＮシステムセル１６０の方がＷＬＡＮシステムの測定結果が良く（シグナル強度が強い）、ＷＬＡＮアクセスポイント局１１を介してＷＬＡＮシステムチャネルを設定すべきである。
また位置１６３においては、ＷＬＡＮシステムセル１６０の範囲である為、ＷＬＡＮアクセスポイント局１１を介してＷＬＡＮシステムチャネルを設定すべきである。
第１８図はネットワーク主導によるＷＬＡＮシステムチャネルのハードハンドオーバ制御を説明するシーケンス図である。第２図、第１７図及び第１８図を用いて動作を説明する。第１８図において、タイミング１７０では、移動端末１は位置１６１に存在しており、ＷＬＡＮアクセスポイント局１０を介して通信中である。
次に、タイミング１７１において、移動端末１が位置１６２に移動した為、ＷＬＡＮアクセスポイント局１０のカバーするＷＬＡＮシステムセル３１より、ＷＬＡＮアクセスポイント局１１のカバーするＷＬＡＮシステムセル１６０の方がシグナル強度が強くなる。この結果を、移動端末１は測定情報通知１７３で無線制御装置８に通知する。
測定情報通知１７３を受信した無線制御装置８は、タイミング１７４において移動端末１の接続先としてＷＬＡＮアクセスポイント局１１を選択する。無線制御装置８は、ハンドオーバ先としてＷＬＡＮアクセスポイント局１１を指定したハードハンドオーバーリクエスト１７５を移動端末１に送信する。
ハードハンドオーバーリクエスト１７５を受信した移動端末１は、接続先としてＷＬＡＮアクセスポイント局１１を認識し、ＷＬＡＮアクセスポイント局１０とのアソシエーション解放１７７をした後、ＷＬＡＮアクセスポイント局１１との再アソシエーション設定１７８を実施する。
ＷＬＡＮアクセスポイント局１１との再アソシエーションを行った移動端末１は、ハードハンドオーバーリクエスト１７５の完了を通知する為、ハードハンドオーバーレスポンス１７９を無線制御装置８に送信する。その後、移動端末１はＷＬＡＮアクセスポイント局１１を介して通信を行う。
以上のように本実施の形態の３Ｇセルラー・ＷＬＡＮにおいては、移動端末１は、隣接するアクセスポイント局の測定情報を無線制御装置８に通知し、無線制御装置８は、この情報に基づいてアクセスポイント局の切り替えを行う。すなわち、３Ｇセルラーシステムのネットワーク主導のアクセスポイント局切り替えをする場合、移動端末が隣接ＷＬＡＮアクセスポイント局の測定情報を無線制御装置に通知し、無線制御装置の判断でＷＬＡＮアクセスポイント局を切り替え、ハードハンドオーバを行う。この場合、３Ｇセルラーシステムのネットワーク側である無線制御装置の判断によるシームレスなＷＬＡＮアクセスポイント局切り替えを実現することができる。
なお、第１８図には図示していないが移動端末がＷＬＡＮアクセスポイント局を切り替える場合には、ＷＬＡＮアクセスポイント局間でＩＡＰＰ（Ｉｎｔｅｒ−Ａｃｃｅｓｓ  Ｐｏｉｎｔ  Ｐｒｏｔｏｃｏｌ）プロトコルが同時に動作しても良い。
実施の形態１１．
上述の実施の形態１０においては、３Ｇセルラーシステムのネットワーク主導によるＷＬＡＮシステムチャネルのハードハンドオーバ制御を示したが、本実施の形態では、移動端末主導のＷＬＡＮシステムチャネルのハードハンドオーバ制御を示す。
第１９図は移動端末１主導によるＷＬＡＮシステムチャネルのハードハンドオーバ制御を説明するシーケンス図である。
第２図、第１７図及び第１９図を用いて動作を説明する。第１９図のタイミング１８１において、移動端末１は位置１６１に存在しており、ＷＬＡＮアクセスポイント局１０を介して通信中である。
次にタイミング１８２において、移動端末１が位置１６３に移動した為、ＷＬＡＮアクセスポイント局１０のＷＡＮセル３１の範囲から外れ、ＷＬＡＮアクセスポイント局１０とのアソシエーションは解放１８３において解放される。この為、移動端末１は、無線ＬＡＮプローブ１８４を行う。
ここで移動端末１は位置１６３に存在する為、ＷＬＡＮセル１６０の範囲でありＷＬＡＮアクセスポイント局１１を見つけることが出来る。そこで移動端末１は、ＷＬＡＮアクセスポイント局１１とアソシエーション設定１８５を行う。また移動端末１はアクセスポイント局アップデート１８６により、無線制御装置８に移動端末１のＭＡＣアドレスを通知し、無線制御装置８が移動端末１のＭＡＣアドレスを学習することで、通信コネクションが確立される。これにより、移動端末１はタイミング１８８において、ＷＬＡＮアクセスポイント局１１を介して通信を行う。
以上のように本実施の形態の３Ｇセルラー・ＷＬＡＮにおいては、移動端末１は、自らの判断によりアクセスポイント局の切り替えを行い、そして、移動端末１は、無線制御装置８に対しこの切り替え情報を通知する。このように、移動端末主導のアクセスポイント局切り替えの場合、無線制御装置８に対して移動端末１に対するパケットの送信先アドレスを再学習させることで、移動端末主導のハードハンドオーバを実現することが出来る。
実施の形態１２．
本実施の形態では、ユーザがＷＬＡＮシステムチャネルを捕捉できない領域から、ＷＬＡＮシステムチャネルが有効な領域に移動した場合、３ＧセルラーシステムからＷＬＡＮシステムへの切り替えを３ＧセルラーシステムのＣｈａｎｎｅｌ  Ｓｗｉｔｃｈｉｎｇ手順を基礎として実現するものである。
第２０図は３ＧセルラーシステムからＷＬＡＮシステムへの切り替えを３ＧセルラーシステムのＣｈａｎｎｅｌ  Ｓｗｉｔｃｈｉｎｇ手順を基礎として行う場合のシーケンス図である。
第２図、第１７図及び第２０図を用いて動作を説明する。第２０図のタイミング１９０において、移動端末１は位置１６４に存在している。位置１６４は３Ｇセルラーシステムセル３０の範囲であるが、ＷＬＡＮシステムセルの範囲ではない為、移動端末１は３Ｇセルラーシステムのチャネルを用い、無線基地局９を介して通信中１９０である。
次に、移動端末１が位置１６４から位置１６１に移動する。位置１６１での測定１９２は、３Ｇセルラーシステムセル３０のみではなく、ＷＬＡＮアクセスポイント局１０のＷＬＡＮシステムセル３１についても行われる。上述の測定１９２の測定結果を、移動端末１は測定情報通知１９３で無線制御装置８に通知する。
測定情報通知１９３を受信した無線制御装置８は、タイミング１９４においてＷＬＡＮアクセスポイント局１０へのチャネル切り替えを選択する。無線制御装置８は、チャネル切り替え先としてＷＬＡＮアクセスポイント局１０を指示した、Ｐｈｙｓｉｃａｌ  Ｃｈａｎｎｅｌ  Ｒｅｃｏｎｆｉｇｕｒａｔｉｏｎ１９５を移動端末１に送信する。Ｐｈｙｓｉｃａｌ  Ｃｈａｎｎｅｌ  Ｒｅｃｏｎｆｉｇｕｒａｔｉｏｎ１９５を受信した移動端末１は、チャネル切り替え先としてＷＬＡＮアクセスポイント局１０を認識し、ＷＬＡＮアクセスポイント局１０とのアソシエーション設定１９７を実施する。このアソシエーションを行った移動端末１は、Ｃｈａｎｎｅｌ  Ｓｗｉｔｃｈｉｎｇの完了を通知する為、Ｐｈｙｓｉｃａｌ  Ｃｈａｎｎｅｌ  Ｒｅｃｏｎｆｉｇｕｒａｔｉｏｎ  Ｃｏｍｐｌｅｔｅ１９８を無線制御装置８に送信する。その後、移動端末１はＷＬＡＮアクセスポイント局１０を介して通信を行う。また、Ｐｈｙｓｉｃａｌ  Ｃｈａｎｎｅｌ  Ｒｅｃｏｎｆｉｇｕｒａｔｉｏｎ  Ｃｏｍｐｌｅｔｅ１９８を受信した無線制御装置８は、タイミング２００において、無線基地局９の資源を解放する。
以上のように本実施の形態の３Ｇセルラー・ＷＬＡＮにおいては、無線制御装置８は、３ＧセルラーシステムのチャネルからＷＬＡＮシステムのチャネルへの切り替えを、３Ｇセルラーシステムのシグナリングを用いて行う。このように、３ＧセルラーシステムからＷＬＡＮシステムへの切り替えを３ＧセルラーシステムのＣｈａｎｎｅｌ  Ｓｗｉｔｃｈｉｎｇ手順ベースにて実現することができる。
実施の形態１３．
本実施の形態では、ユーザがＷＬＡＮシステムチャネルの有効な領域から、ＷＬＡＮシステムチャネルが捕捉出来ない領域に移動した場合、ＷＬＡＮシステムから３Ｇセルラーシステムへの切り替えを３ＧセルラーシステムのＣｈａｎｎｅｌ  Ｓｗｉｔｃｈｉｎｇ手順を基礎として実現するものである。
第２１図はＷＬＡＮシステムから３Ｇセルラーシステムへの切り替えを３ＧセルラーシステムのＣｈａｎｎｅｌ  Ｓｗｉｔｃｈｉｎｇ手順を基礎として行う場合のシーケンスを示す。
第２図、第１７図及び第２１図を用いて動作を説明する。第２１図のタイミング２０１において、移動端末１は位置１６１に存在している。位置１６１は３Ｇセルラーシステムセル３０の範囲であるが、ＷＬＡＮシステムセル３１の範囲でもある為、移動端末１はＷＬＡＮシステムのチャネルを用い、ＷＬＡＮアクセスポイント局１０を介して通信中２０１である。
次に、タイミング２０２において、移動端末１が位置１６１から位置１６５に移動する。位置１６５での測定２０３では、ＷＬＡＮアクセスポイント局１０のＷＬＡＮシステムセル３１について測定は可能だが、測定結果としては良くないものとする。測定２０３の測定結果を、移動端末１は測定情報通知２０４で無線制御装置８に通知する。測定情報通知２０４を受信した無線制御装置８は、タイミング２０５において無線基地局９の３Ｇセルラーシステムセル３０へのチャネル切り替えを選択する。無線制御装置８は、ＮＢＡＰ手順を用い、無線基地局９の資源確保２０６を行う。次に無線制御装置８は、チャネル切り替え先として無線基地局９のセル３０を指示したＰｈｙｓｉｃａｌ  Ｃｈａｎｎｅｌ  Ｒｅｃｏｎｆｉｇｕｒａｔｉｏｎ２０７を移動端末１に送信する。Ｐｈｙｓｉｃａｌ  Ｃｈａｎｎｅｌ  Ｒｅｃｏｎｆｉｇｕｒａｔｉｏｎ２０７を受信した移動端末１は、無線基地局９の３Ｇセルラーシステムセル３０へのチャネル切り替えを実行し、無線制御装置８にＰｈｙｓｉｃａｌ  Ｃｈａｎｎｅｌ  Ｒｅｃｏｎｆｉｇｕｒａｔｉｏｎ  Ｃｏｍｐｌｅｔｅ２０８を送信する。また、移動端末１は、ＷＬＡＮアクセスポイント局１０とのアソシエーション解放２０９を行うと共に、無線基地局９を介した通信を行えるようになる。
以上のように本実施の形態の３Ｇセルラー・ＷＬＡＮにおいては、無線制御装置８は、ＷＬＡＮシステムのチャネルから３Ｇセルラーシステムのチャネルへの切り替えを、３Ｇセルラーシステムのシグナリングを用いて行う。このため、ＷＬＡＮシステムから３Ｇセルラーシステムへの切り替えを３ＧセルラーシステムのＣｈａｎｎｅｌ  Ｓｗｉｔｃｈｉｎｇ手順ベースにて実現することができる。
実施の形態１４．
本実施の形態は、ＷＬＡＮシステムの消費電力を低減させる為、ＷＬＡＮシステムに必要時のみ電力を供給する３Ｇセルラーシステムのページングを利用した実施の形態である。
第２２図は３Ｇセルラーシステムのページングを利用しＷＬＡＮシステムの消費電力の低減をする際のシーケンス図である。
第２２図を用いて動作を説明する。第２２図のタイミング２１１において、ユーザデータの送受信を行っていない移動端末１は、ＷＬＡＮシステムへの電力供給を停止し、３Ｇセルラーシステムの待ち受け状態となっている。ここで、移動端末１に対し着信の要求がある場合、無線基地局９からＰａｇｉｎｇ２１２が移動端末１に対して送信される。Ｐａｇｉｎｇ２１２を受信した移動端末１は、呼び出しの対象が移動端末１自身であることを知り、Ｐａｇｉｎｇ２１２に対する応答であるサービス開始要求２１３を無線制御装置８に送信する。サービス開始要求２１３を受信した無線制御装置８は、ＷＬＡＮシステムチャネル設定要求２１４の手順を行う。ＷＬＡＮシステムチャネル設定要求２１４の手順を開始した移動端末１は、このタイミングでＷＬＡＮシステムへの電力供給を開始し、ＷＬＡＮアクセスポイント局１０とのアソシエーション設定を行う。
以上のように本実施の形態の３Ｇセルラー・ＷＬＡＮにおいては、移動端末１は、３Ｇセルラーシステムの待ち受け状態で待機し、ＷＬＡＮシステムのチャネルを使用する場合は３Ｇセルラーシステムのシグナリングを用いる。
この様に、移動端末１の呼び出しには、３Ｇセルラーシステムのページング機能を用いることにより、ＷＬＡＮシステムには必要時のみ電力を供給し、ＷＬＡＮシステムの消費電力を抑えることが可能となる。
また、本実施の形態においては、着信時の動作シーケンスについて説明したが、３Ｇセルラーシステムの待ち受け状態にある移動端末１の発信時においても、ＷＬＡＮシステムチャネル設定要求の手順を開始したタイミングで、ＷＬＡＮシステムへの電力供給を行うことで、同様にＷＬＡＮシステムの消費電力低減を図ることが可能である。
実施の形態１５．
上述の実施の形態１においては、無線制御装置とＷＬＡＮアクセスポイント局を接続し制御することで、ＷＬＡＮシステムを３Ｇセルラーシステムの１つの高速パケット用チャネルとして用いていたが、本実施の形態では、無線基地局とＷＬＡＮアクセスポイント局とを接続し、無線制御装置と無線基地局がＷＬＡＮアクセスポイント局を制御し、ＷＬＡＮシステムを３Ｇセルラーシステムの１つの高速パケット用チャネルとして使用可能とするものである。
第２３図は本実施の形態の無線制御装置８、無線基地局９及びＷＬＡＮアクセスポイント局１０，１１の接続形態を示す図である。本実施の形態の３Ｇセルラー・ＷＬＡＮにおいては、アクセスネットワーク部は、無線ＬＡＮシステムの移動端末１と無線通信可能とされるとともに無線ＬＡＮシステムのアクセスポイント局１０，１１と接続された無線基地局９とこの無線基地局９に電気的に接続された無線制御装置８とを有している。
第２３図を用いて動作を説明する。無線制御装置８および無線基地局９にＷＬＡＮシステムを３Ｇセルラーシステムのチャネルとして制御するための機構を実装する。これにより、無線制御装置８は、ＷＬＡＮシステムによる高速チャネルが、無線基地局９に実装されたものと見なして制御することが可能となる。また無線制御装置８は直接ＷＬＡＮアクセスポイント局を制御する必要がなくなる為、無線制御装置の機能追加を抑制しながら、ＷＬＡＮシステムを３Ｇセルラーシステムの１つの高速パケット用チャネルとして使用可能とすることが出来る。
実施の形態１６．
上述の実施の形態１においては、無線制御装置とＷＬＡＮアクセスポイント局を接続して、ＷＬＡＮシステムを３Ｇセルラーシステムの１つの高速パケット用チャネルとして制御していたが、本実施の形態では、無線制御装置と無線基地局との間及び、無線制御装置とＷＬＡＮアクセスポイント局の間にインターワーキングボックス（Ｉｎｔｅｒｗｏｒｋｉｎｇ  Ｂｏｘ、ＩＷＢ）を接続し、無線制御装置とインターワーキングボックスがＷＬＡＮアクセスポイント局を制御し、ＷＬＡＮシステムを３Ｇセルラーシステムの１つの高速パケット用チャネルとして使用可能とするものである。
第２４図は、本実施の形態における、無線制御装置８、無線基地局９、ＷＬＡＮアクセスポイント局１０，１１及びＩＷＢ１２の接続形態を示す図である。
第２４図を用いて動作を説明する。無線制御装置８およびＩＷＢ１２にＷＬＡＮシステムを３Ｇセルラーシステムのチャネルとして制御するための機構を実装する。これにより、無線基地局９及びＷＬＡＮアクセスポイント局１０，１１は、既存のものを使用することが可能となる。また無線制御装置８はＷＬＡＮシステムによる高速チャネルがＩＷＢに実装されたものと見なすことが出来る為、ＩＷＢ１２は無線制御装置８からみると無線基地局９に見え、また無線基地局９からみると無線制御装置８に見えることとなる。
以上のように本実施の形態の３Ｇセルラー・ＷＬＡＮにおいては、実施の形態１５の構成に加え、無線制御装置８はＩＷＢ１２を介して無線基地局９に接続されている。そのため、既存の無線基地局及びＷＬＡＮアクセスポイント局にインパクトを与えることなく、無線制御装置の改修とＩＷＢの追加により、ＷＬＡＮシステムを３Ｇセルラーシステムの１つの高速パケット用チャネルとして使用可能とすることが出来る。
【産業上の利用可能性】  本発明は、広域性に富む第３世代移動体通信システムと高速データ通信が可能な無線ＬＡＮとを統合する新しい形態の移動体通信システムであり、近い将来の移動体通信システムとして好適なものである。
【図１】
2005115034.tif 000002
【図２】
2005115034.tif 000003
【図３】
2005115034.tif 000004
【図４】
2005115034.tif 000005
【図５】
2005115034.tif 000006
【図６】
2005115034.tif 000007
【図７】
2005115034.tif 000008
【図８】
2005115034.tif 000009
【図９】
2005115034.tif 000010
【図１０】
2005115034.tif 000011
【図１１】
2005115034.tif 000012
【図１２】
2005115034.tif 000013
【図１３】
2005115034.tif 000014
【図１４】
2005115034.tif 000015
【図１５】
2005115034.tif 000016
【図１６】
2005115034.tif 000017
【図１７】
2005115034.tif 000018
【図１８】
2005115034.tif 000019
【図１９】
2005115034.tif 000020
【図２０】
2005115034.tif 000021
【図２１】
2005115034.tif 000022
【図２２】
2005115034.tif 000023
【図２３】
2005115034.tif 000024
【図２４】
2005115034.tif 000025
【国際調査報告】
2005115034.tif 000026
2005115034.tif 000027
2005115034.tif 000028
2005115034.tif 000029